(57)【要約】      （修正有）【課題】データ通信が行われた直後の応答性を高めつつ省電力性を達成する。【解決手段】通信システム１において、処理装置20は、端末情報保持部21により保持された、端末10のページング間隔情報及び端末10からデータを受信した時刻に基づき、端末10へページング信号を送信すべき送信時刻を計算する送信時刻計算部23と、該送信時刻になったときに端末10へページング信号を送信するページング送信部24とを備える。端末10は、間隔情報保持部11により保持されたページング間隔情報及びデータを送信した時刻に基づき、処理装置20からページング信号を受信すると想定される受信時刻を計算する受信時刻計算部13と、該受信時刻にページング信号を受信可能な状態で受信待機する受信制御部14とを備える。端末情報保持部21と間隔情報保持部11に保持されたページング間隔情報は、時間の経過とともに連続的に又は断続的に時間間隔が長くなる。【選択図】図１
2019071586.tif 000002
【特許請求の範囲】
【請求項１】
端末と、前記端末に関する処理を実行する処理装置と、を含んで構成される通信システムであって、
前記処理装置は、
前記端末について予め定められた、ページングの時間間隔を示すページング間隔情報を保持した端末情報保持部と、
前記端末からデータを受信するデータ受信部と、
前記端末情報保持部により保持された、前記データの送信元である前記端末についての前記ページング間隔情報、および前記データの受信時刻に基づいて、前記端末へページング信号を送信すべき送信時刻を計算する送信時刻計算部と、
前記送信時刻計算部による計算で得られた送信時刻になったときに、前記端末へ前記ページング信号を送信するページング送信部と、
を備え、
前記端末は、
当該端末について予め定められた前記ページング間隔情報を保持した間隔情報保持部と、
前記処理装置へデータを送信するデータ送信部と、
前記間隔情報保持部により保持された前記ページング間隔情報、および前記データの送信時刻に基づいて、前記処理装置から前記ページング信号を受信すると想定される受信時刻を計算する受信時刻計算部と、
前記受信時刻計算部による計算で得られた受信時刻に前記ページング信号を受信可能な状態で受信待機する受信制御部と、
を備え、
前記端末情報保持部および前記間隔情報保持部により保持された前記ページング間隔情報は、時間の経過とともに連続的に又は断続的にページングの時間間隔が長くなるよう予め定められている、
ことを特徴とする通信システム。
【請求項２】
前記ページング間隔情報は、前記端末ごとに単一のパターンが予め定められている、
請求項１に記載の通信システム。
【請求項３】
前記ページング間隔情報は、複数のパターンが予め定められており、
該複数のパターンのうち前記端末により選択された一のパターンが、前記送信時刻の計算および前記受信時刻の計算で用いられる、
請求項１に記載の通信システム。
【請求項４】
前記端末は、
該端末の電池残量を検知する電池残量検知部と、
前記電池残量検知部により検知された電池残量に基づいて、前記ページング間隔情報に関する前記複数のパターンから一のパターンを選択するパターン選択部と、
をさらに備え、
前記データ送信部は、前記パターン選択部により選択された前記一のパターンの識別情報を前記処理装置へ送信する、
請求項３に記載の通信システム。
【請求項５】
予め定められたページングの時間間隔を示すページング間隔情報を保持した端末と、前記端末に関する処理を実行し前記端末についての前記ページング間隔情報を保持した処理装置と、を含んで構成される通信システム、において実行される通信制御方法であって、
前記端末が前記処理装置へデータを送信するとともに、前記処理装置が前記端末からデータを受信するステップと、
前記処理装置が、前記データの送信元である前記端末についての前記ページング間隔情報および前記データの受信時刻に基づいて、前記端末へページング信号を送信すべき送信時刻を計算するとともに、前記端末が、保持された前記ページング間隔情報および前記データの送信時刻に基づいて、前記処理装置から前記ページング信号を受信すると想定される受信時刻を計算するステップと、
前記端末が、計算で得られた受信時刻に前記ページング信号を受信可能な状態で受信待機するとともに、前記処理装置が、計算で得られた送信時刻になったときに、前記端末へ前記ページング信号を送信するステップと、
を有し、
前記端末および前記処理装置により保持された前記ページング間隔情報は、時間の経過とともに連続的に又は断続的にページングの時間間隔が長くなるよう予め定められている、
ことを特徴とする通信制御方法。
【発明の詳細な説明】
【技術分野】
【０００１】
本発明は、通信システムおよび通信制御方法に関する。
【背景技術】
【０００２】
近年、コンピュータ以外のモノ（例えば、カメラ、オーディオ機器、家電製品等）をインターネットに接続する「モノのインターネット（Internet  of  Things：ＩｏＴ）」と呼ばれる技術が開発されており、上記のモノはＩｏＴ端末と称され（特許文献１参照）、その多くは、該ＩｏＴ端末に取り付けられたセンサにより検知されたデータを、無線通信網経由で所定のコンピュータへ間欠的に送信する。このデータ送信は、上り方向（Up  Link）データ送信となるため、以下、本件では「UL送信」と称する。上記のようなＩｏＴ端末には、１０年単位の非常に長い電池寿命を達成することが求められており、省電力制御を行うことは必須である。
【先行技術文献】
【特許文献】
【０００３】
【特許文献１】特開2016-201032号公報
【発明の概要】
【発明が解決しようとする課題】
【０００４】
ところで、コンピュータからＩｏＴ端末に対しデータ送信を要求するために、ＩｏＴ端末に着呼がありページング信号を受信することがある。ページング信号が送受信される時間間隔（以下「ページング間隔」と称する）は、ネットワーク側で図３（ａ）に示すように固定的に設定されており、ネットワーク側の処理装置（例えば、基地局、ＭＭＥ（Mobility  Management  Entity）等）とＩｏＴ端末間で予め共有されたページング間隔で、ページング信号の送受信が行われる。
【０００５】
上記のようにＩｏＴ端末に着呼がありページング信号を受信した際には高い応答性が求められるため、ＩｏＴ端末の応答性を高めるとＩｏＴ端末が受信待機する機会が増えることとなり、ＩｏＴ端末における省電力性が犠牲となる。
【０００６】
一方で、ＩｏＴ端末における省電力性を高めるために従来よりも長い時間に渡り省電力モードで待機する（いわゆるスリープする）ことができるものの、この場合、ＩｏＴ端末における応答性が犠牲となる。
【０００７】
このように、ＩｏＴ端末における省電力性の向上と応答性の向上とのトレードオフを解決することが待望される。この点は、ＩｏＴ端末のみに限らず、通信可能な端末全般に対し同様のことが当てはまる。
【０００８】
本発明は、上記の課題を解決するために成されたものであり、データ通信が行われた直後の応答性を高めつつ省電力性を達成することを目的とする。
【課題を解決するための手段】
【０００９】
本発明の一実施形態に係る通信システムは、端末と、前記端末に関する処理を実行する処理装置と、を含んで構成される通信システムであって、前記処理装置は、前記端末について予め定められた、ページングの時間間隔を示すページング間隔情報を保持した端末情報保持部と、前記端末からデータを受信するデータ受信部と、前記端末情報保持部により保持された、前記データの送信元である前記端末についての前記ページング間隔情報、および前記データの受信時刻に基づいて、前記端末へページング信号を送信すべき送信時刻を計算する送信時刻計算部と、前記送信時刻計算部による計算で得られた送信時刻になったときに、前記端末へ前記ページング信号を送信するページング送信部と、を備え、前記端末は、当該端末について予め定められた前記ページング間隔情報を保持した間隔情報保持部と、前記処理装置へデータを送信するデータ送信部と、前記間隔情報保持部により保持された前記ページング間隔情報、および前記データの送信時刻に基づいて、前記処理装置から前記ページング信号を受信すると想定される受信時刻を計算する受信時刻計算部と、前記受信時刻計算部による計算で得られた受信時刻に前記ページング信号を受信可能な状態で受信待機する受信制御部と、を備え、前記端末情報保持部および前記間隔情報保持部により保持された前記ページング間隔情報は、時間の経過とともに連続的に又は断続的にページングの時間間隔が長くなるよう予め定められている。
【００１０】
上記の通信システムでは、端末のデータ送信部が処理装置へデータを送信すると、処理装置のデータ受信部は端末からのデータを受信する。ここで、処理装置において、送信時刻計算部が、端末情報保持部に保持された上記データの送信元である端末についてのページング間隔情報、および上記データの受信時刻に基づいて、上記端末へページング信号を送信すべき送信時刻を計算し、その後、計算で得られた送信時刻になったときに、ページング送信部が上記端末へページング信号を送信する。一方、端末においては、受信時刻計算部が、間隔情報保持部により保持されたページング間隔情報（当該端末について予め定められたページング間隔情報）、および上記データの送信時刻に基づいて、処理装置からページング信号を受信すると想定される受信時刻を計算し、受信制御部が、計算で得られた受信時刻にページング信号を受信可能な状態で受信待機する。これにより、処理装置からのページング信号の送信と、端末によるページング信号の受信待機とが、同期をとって実行され、端末は処理装置からのページング信号を遅滞なく受信することができ、高い応答性を実現できる。ここで、処理装置の端末情報保持部および端末の間隔情報保持部により保持されたページング間隔情報は、時間の経過とともに連続的に又は断続的にページングの時間間隔が長くなるよう予め定められている。そのため、データ通信が行われた直後は、ページングの時間間隔が短くなるよう定められているため、データ通信が行われた直後の応答性を高めることができる。また、データ通信が行われた後、時間の経過とともにページングの時間間隔が長くなるよう定められているため、端末は、時間の経過とともに長くなるよう定められたページング間隔情報に基づき受信時刻を計算し、該受信時刻にページング信号を受信可能な状態で受信待機するため、端末が無駄に受信待機する機会を削減でき、端末における省電力性を達成することができる。
【発明の効果】
【００１１】
本発明によれば、データ通信が行われた直後の応答性を高めつつ省電力性を達成することができる。
【図面の簡単な説明】
【００１２】
【図１】第１実施形態の通信システムの機能ブロック構成図である。
【図２】（ａ）は第１実施形態の間隔情報保持部により保持されるページング間隔情報の一例を示す図であり、（ｂ）は第１実施形態の端末情報保持部により保持されるページング間隔情報の一例を示す図である。
【図３】（ａ）は従来のページング間隔を示す図であり、（ｂ）は第１、第２実施形態のページング間隔を示す図である。
【図４】第１実施形態の通信システムにて実行される処理を示すフロー図である。
【図５】第２実施形態の通信システムの機能ブロック構成図である。
【図６】（ａ）は第２実施形態の間隔情報保持部により保持されるページング間隔情報の一例を示す図であり、（ｂ）は第２実施形態の端末情報保持部により保持されるページング間隔情報の一例を示す図である。
【図７】第２実施形態の通信システムにて実行される処理を示すフロー図である。
【図８】端末および処理装置のハードウェア構成の一例を示す図である。
【発明を実施するための形態】
【００１３】
以下、図面を参照しながら、本発明に係る各種の実施形態を説明する。
【００１４】
［第１実施形態］
第１実施形態では、ページング間隔情報として、端末ごとに単一のパターンが予め定められている場合について説明する。
【００１５】
図１には、端末１０と、端末１０に関する処理を実行する処理装置２０とを含んで構成される通信システム１の構成図を示す。端末１０は、例えばＩＯＴ端末、携帯端末など、さまざまな端末によって構成してよく、処理装置２０は、例えば基地局、ＭＭＥなどの装置によって構成してよい。図１に示すように、端末１０は、間隔情報保持部１１、データ送信部１２、受信時刻計算部１３、および受信制御部１４を備え、処理装置２０は、端末情報保持部２１、データ受信部２２、送信時刻計算部２３、およびページング送信部２４を備える。以下、各機能部の概要を説明する。
【００１６】
間隔情報保持部１１は、端末１０について予め定められた、ページングの時間間隔を示すページング間隔情報を保持したデータベースである。第１実施形態では、ページング間隔情報として、端末ごとに単一のパターンが予め定められているため、間隔情報保持部１１には、ページング間隔情報のパターンとして、例えば図２（ａ）に示すように、パターン識別情報、ＩＭＳＩ（International  Mobile  Subscriber  Identity）、初期段階でのページング間隔を表す初期ページング間隔、経過時間とともにページング間隔が増加する増分を表すページング間隔増分、および、増加していくページング間隔の上限値を表す最大ページング間隔から成る予め定められた単一のパターンが保持されている。
【００１７】
データ送信部１２は、処理装置２０へデータ（ここでは端末１０から処理装置２０への上り方向（Up  Link）のデータに相当するため、以後「ＵＬデータ」と称する）を送信する機能部である。
【００１８】
受信時刻計算部１３は、間隔情報保持部１１により保持されたページング間隔情報、およびデータの送信時刻に基づいて、処理装置２０からページング信号を受信すると想定される受信時刻を計算する機能部である。
【００１９】
受信制御部１４は、受信時刻計算部１３による計算で得られた受信時刻にページング信号を受信可能な状態で受信待機する機能部である。
【００２０】
端末情報保持部２１は、さまざまな端末について予め定められたページング間隔情報を保持したデータベースである。端末情報保持部２１には、例えば図２（ｂ）に示すように、前述した図２（ａ）に示すページング間隔情報のパターンが複数保持されており、これら複数のパターンは、個々に定められたパターン識別情報によって識別される。
【００２１】
データ受信部２２は、端末１０からＵＬデータを受信する機能部である。
【００２２】
送信時刻計算部２３は、端末情報保持部２１により保持された、データ送信元（端末１０）についてのページング間隔情報、およびＵＬデータの受信時刻に基づいて、端末１０へページング信号を送信すべき送信時刻を計算する機能部である。
【００２３】
ページング送信部２４は、送信時刻計算部２３による計算で得られた送信時刻になったときに、端末１０へページング信号を送信する機能部である。
【００２４】
また、端末１０の間隔情報保持部１１および処理装置２０の端末情報保持部２１により保持されたページング間隔情報は、図３（ｂ）に示すように、時間の経過とともに連続的に又は断続的にページング間隔が長くなるよう予め定められている。例えば、(1)ページング間隔が、経過時間とともに一定の増分で長くなる設定、(2)ページング間隔が、一定の増分ではないが時間の経過とともに所定規則で長くなる設定、(3)ページング間隔が、所定時間おきに段階的に（階段状に）長くなる設定など、さまざまな設定を含む。前述した図２（ａ）、（ｂ）は、上記(1)の一例を示しており、ページング間隔は、最大ページング間隔を上限として、以下の式により計算される。
ページング間隔＝初期ページング間隔＋ページング間隔増分×経過時間
【００２５】
次に、図４のフロー図を用いて本実施形態の通信システム１にて実行される処理を説明する。
【００２６】
まず、端末１０が処理装置２０へＵＬデータを送信し（図４のステップＳ１）、処理装置２０は該ＵＬデータを受信する（ステップＴ１）。このようなＵＬデータの送受信の後、処理装置２０は、ＵＬデータの送信元（端末１０）についてのページング間隔情報および該ＵＬデータの受信時刻に基づいて、端末１０へページング信号を送信すべき送信時刻を計算する（ステップＴ２）。一方、端末１０は、保持されたページング間隔情報および該ＵＬデータの送信時刻に基づいて、処理装置２０からページング信号を受信すると想定される受信時刻を計算する（ステップＳ２）。
【００２７】
その後、処理装置２０は、上記送信時刻になるまで、ページング信号を送信せずに待機し、上記送信時刻になったとき、端末１０へページング信号を送信する（ステップＴ３）。一方、端末１０は、上記受信時刻にページング信号を受信可能な状態で受信待機し、上記受信時刻になったとき、処理装置２０からのページング信号を受信する（ステップＳ３）。ここで、例えば、端末１０は、上記受信時刻の直前までは従来と同様に省電力モードで待機し、上記受信時刻の直前に、ページング信号を受信可能な通常モードに移行し、上記受信時刻になったとき、処理装置２０からのページング信号を遅滞なく受信する。
【００２８】
以上のように、処理装置２０からのページング信号の送信と、端末１０によるページング信号の受信待機とが、同期をとって実行され、端末１０は処理装置２０からのページング信号を遅滞なく受信することができ、高い応答性を実現できる。
【００２９】
前述したように、処理装置２０の端末情報保持部２１および端末１０の間隔情報保持部１１により保持されたページング間隔情報は、時間の経過とともにページングの時間間隔が長くなるよう予め定められている。そのため、図４のステップＳ１、Ｔ１でＵＬデータの送受信が行われた直後は、ページングの時間間隔が短くなるよう定められているため、ＵＬデータの送受信直後の応答性を高めることができる。また、その後、時間の経過とともにページングの時間間隔が長くなるよう定められているため、端末１０は、時間の経過とともに長くなるよう定められたページング間隔情報に基づき上記受信時刻を計算し、該受信時刻にページング信号を受信可能な状態で受信待機する。そのため、端末１０が無駄に受信待機する状況を回避することができ、端末１０における省電力性を達成することができる。
【００３０】
［第２実施形態］
第２実施形態では、ページング間隔情報として、複数のパターンが予め定められており、該複数のパターンのうち端末により選択された一のパターンが、ページング信号の送信時刻の計算および受信時刻の計算で用いられる場合について説明する。
【００３１】
図５に示すように、第２実施形態における通信システム１は、第１実施形態の通信システム１（図１）において端末１０が、さらに、電池残量検知部１５とパターン選択部１６とを備えた構成とされている。
【００３２】
電池残量検知部１５は、端末１０の電池残量を検知する機能部である。ここでの「電池残量」は、特定のものに限定されるものではなく、例えば充電率（ＳＯＣ：State  Of  Charge）などが挙げられる。
【００３３】
パターン選択部１６は、電池残量検知部１５により検知された電池残量に基づいて、ページング間隔情報に関する複数のパターンから一のパターンを選択する機能部である。
【００３４】
また、データ送信部１２は、パターン選択部１６により選択された一のパターンの識別情報をＵＬデータとともに処理装置２０へ送信する。
【００３５】
間隔情報保持部１１には、例えば図６（ａ）に示すように、パターン識別情報、初期ページング間隔、ページング間隔増分、および最大ページング間隔から成る予め定められたページング間隔情報のパターンが複数保持されており、これらは、個々に定められたパターン識別情報によって識別される。ここでは、図２（ａ）の例とは異なり、ＩＭＳＩを含まないパターンを例示したが、ＩＭＳＩを含んでも構わない。
【００３６】
一方、処理装置２０の間隔情報保持部１１には、例えば図６（ｂ）に示すように、図６（ａ）のページング間隔情報のパターン群が端末ごとに保持されており、端末ごとのページング間隔情報のパターン群は、例えばＩＭＳＩによって識別される。なお、図６（ｂ）のように端末ごとにページング間隔情報のパターン群を保持することは一例であり、これ以外に、複数の端末に対し共通で用いられるページング間隔情報のパターン群を予め定めておき、各端末によって選択される一のパターンをパターン識別情報によって識別してもよい。
【００３７】
次に、図７のフロー図を用いて本実施形態の通信システム１にて実行される処理を説明する。
【００３８】
まず、端末１０は、電池残量検知部１５により端末１０の電池残量を検知し（図４のステップＳ０）、パターン選択部１６により、上記検知された電池残量に基づいて、ページング間隔情報に関する複数のパターンから一のパターンを選択する（ステップＳ０Ｘ）。例えば、電池残量が所定の基準よりも少ない場合は、端末１０の応答性よりも省電力性を重視すべき状況にあるため、計算で得られるページング間隔が長くなるよう、例えば、初期ページング間隔およびページング間隔増分が大きな値に設定されたパターンが選択される。
【００３９】
そして、端末１０は、選択された一のパターンのパターン識別情報をＵＬデータとともに処理装置２０へ送信し（ステップＳ１Ｘ）、処理装置２０は該ＵＬデータおよびパターン識別情報を受信する（ステップＴ１Ｘ）。さらに、処理装置２０は、送信元の端末１０（例えばＩＭＳＩ＝XXXXX）についてのページング間隔情報のパターン群から、受信したパターン識別情報に対応する一のパターンを取得し、取得された該一のパターンおよびＵＬデータの受信時刻に基づいて、端末１０へページング信号を送信すべき送信時刻を計算する（ステップＴ２Ｘ）。一方、端末１０は、ステップＳ０Ｘで選択した一のパターンおよびＵＬデータの送信時刻に基づいて、処理装置２０からページング信号を受信すると想定される受信時刻を計算する（ステップＳ２Ｘ）。
【００４０】
その後は第１実施形態と同様に、処理装置２０は、上記送信時刻になるまで、ページング信号を送信せずに待機し、上記送信時刻になったとき、端末１０へページング信号を送信する（ステップＴ３）。一方、端末１０は、上記受信時刻にページング信号を受信可能な状態で受信待機し、上記受信時刻になったとき、処理装置２０からのページング信号を受信する（ステップＳ３）。ここで、例えば、端末１０は、上記受信時刻の直前までは従来と同様に省電力モードで待機し、上記受信時刻の直前に、ページング信号を受信可能な通常モードに移行し、上記受信時刻になったとき、処理装置２０からのページング信号を遅滞なく受信する。
【００４１】
以上の第２実施形態によれば、第１実施形態と同様の効果を奏するとともに、検知された端末の電池残量に基づいて、ページング間隔情報に関する複数のパターンから一のパターンが選択され、該一のパターンを用いてページング信号送信時刻およびページング信号受信時刻が計算されるため、端末の電池残量に応じて、より適切なページング間隔情報のパターンが用いられ、より適切なページング信号送信時刻およびページング信号受信時刻が計算される。
【００４２】
なお、通信システム１のネットワークの種別は特に限定されるものではなく、例えば、ＥＰＣ（Evolved  Packet  Core）ネットワークであってもよいし、いわゆる次世代ネットワーク（ＮＧＮ：Next  Generation  Network）であってもよい。
【００４３】
上記の実施形態の説明で用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４４】
例えば、上記の実施形態における端末１０は、上述した端末１０の処理を行うコンピュータとして機能してもよい。図８は、端末１０のハードウェア構成の一例を示す図である。上述の端末１０は、物理的には、プロセッサ１００１、メモリ１００２、ストレージ１００３、通信装置１００４、入力装置１００５、出力装置１００６、バス１００７などを含むコンピュータ装置として構成されてもよい。なお、図１に示す処理装置２０についても、端末１０と同様の構成であってもよい。以下では、端末１０を例にとって説明する。
【００４５】
なお、以下の説明では、「装置」という文言は、回路、デバイス、ユニットなどに読み替えることができる。端末１０のハードウェア構成は、図に示した各装置を１つ又は複数含むように構成されてもよいし、一部の装置を含まずに構成されてもよい。
【００４６】
端末１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００４７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、端末１０の各機能部は、プロセッサ１００１を含んで実現されてもよい。
【００４８】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、端末１０の各機能部は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４９】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係る方法を実施するために実行可能なプログラム（プログラムコード）、ソフトウェアモジュールなどを保存することができる。
【００５０】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の端末１０の各機能部は、通信装置１００４を含んで実現されてもよい。
【００５２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５３】
また、プロセッサ１００１やメモリ１００２などの各装置は、情報を通信するためのバス１００７で接続される。バス１００７は、単一のバスで構成されてもよいし、装置間で異なるバスで構成されてもよい。
【００５４】
また、端末１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５５】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００５６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５７】
入出力された情報などは特定の場所(例えば、メモリ)に保存されてもよいし、管理テーブルで管理してもよい。入出力される情報などは、上書き、更新、または追記され得る。出力された情報などは削除されてもよい。入力された情報などは他の装置へ送信されてもよい。
【００５８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６３】
また、本明細書で説明した情報、パラメータなどは、絶対値で表されてもよいし、所定の値からの相対値で表されてもよいし、対応する別の情報で表されてもよい。
【００６４】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００６５】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００６６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６７】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００６８】
本明細書において、文脈または技術的に明らかに１つのみしか存在しない装置である場合以外は、複数の装置をも含むものとする。本開示の全体において、文脈から明らかに単数を示したものではなければ、複数のものを含むものとする。
【符号の説明】
【００６９】
１…通信システム、１０…端末、１１…間隔情報保持部、１２…データ送信部、１３…受信時刻計算部、１４…受信制御部、１５…電池残量検知部、１６…パターン選択部、２０…処理装置、２１…端末情報保持部、２２…データ受信部、２３…送信時刻計算部、２４…ページング送信部、１００１…プロセッサ、１００２…メモリ、１００３…ストレージ、１００４…通信装置、１００５…入力装置、１００６…出力装置、１００７…バス。
【図１】
2019071586.tif 000003
【図２】
2019071586.tif 000004
【図３】
2019071586.tif 000005
【図４】
2019071586.tif 000006
【図５】
2019071586.tif 000007
【図６】
2019071586.tif 000008
【図７】
2019071586.tif 000009
【図８】
2019071586.tif 000010